(57)【要約】【課題】吸収体が存在しない前後方向の端部での折れ曲がりが起こりにくく、着用感に優れた吸収性物品を提供する。【解決手段】液透過性のトップシート２と液不透過性のバックシート３とこれらの間に設けられた吸収体４を有する吸収性物品１であって；トップシート２の幅方向ｘの両側に立ち上がりフラップ６が設けられ；トップシート２に格子状の第１エンボス部１０が設けられ；立ち上がりフラップ６の前側端部６Ｆと後側端部６Ｂに第２エンボス部１３が設けられ；第１エンボス部１０と第２エンボス部１３は、吸収体４の前側端より前方側および後側端より後方側に少なくとも設けられ；第１エンボス部１０のエンボス率が第２エンボス部１３のエンボス率よりも小さい。【選択図】図１
2020116156.tif 000002
【特許請求の範囲】
【請求項１】
前後方向と幅方向を有し、液透過性のトップシートと液不透過性のバックシートとこれらの間に設けられた吸収体を有する吸収性物品であって、
前記トップシートの幅方向の両側に立ち上がりフラップが設けられ、
前記立ち上がりフラップは、前側端部と後側端部とこれらの間の中間部を有し、少なくとも中間部に前後方向に延びるフラップ弾性部材が設けられ、前側端部と後側端部がトップシートに接合されることにより中間部が起立可能に形成され、
前記トップシートに格子状の第１エンボス部が設けられ、
前記立ち上がりフラップの前側端部と後側端部に第２エンボス部が設けられ、
前記第１エンボス部と前記第２エンボス部は、前記吸収体の前側端より前方側および後側端より後方側に少なくとも設けられ、
前記第１エンボス部のエンボス率が前記第２エンボス部のエンボス率よりも小さいことを特徴とする吸収性物品。
【請求項２】
前記第１エンボス部は、前後方向に対して傾斜して一方向と他方向に延びる複数の直線部から構成された四角格子状に設けられている請求項１に記載の吸収性物品。
【請求項３】
前記第２エンボス部は、前後方向と幅方向に複数並んで設けられている請求項１または２に記載の吸収性物品。
【請求項４】
前記トップシートには前記第１エンボス部に囲まれて第１非エンボス部が設けられ、前記第１非エンボス部の１つ当たりの面積が、前記第２エンボス部の１つ当たりの面積よりも大きい請求項１〜３のいずれか一項に記載の吸収性物品。
【請求項５】
前記第１エンボス部のエンボス率が２５％以下であり、前記第２エンボス部のエンボス率が５０％以上である請求項１〜４のいずれか一項に記載の吸収性物品。
【請求項６】
吸収性物品の肌面側から見て、前記第１エンボス部が設けられた領域Ａ１の幅方向の長さは、幅方向の一方側と他方側の前記第２エンボス部が設けられた領域Ａ２の幅方向の合計長さよりも長く形成されている請求項１〜５のいずれか一項に記載の吸収性物品。
【請求項７】
前記第２エンボス部は、前記吸収体の前側端の前方側から後方側にかけて設けられるとともに、前記吸収体の後側端の前方側から後方側にかけて設けられている請求項１〜６のいずれか一項に記載の吸収性物品。
【請求項８】
前記トップシートは短繊維不織布から構成され、当該不織布の構成繊維が前後方向に配向している請求項１〜７のいずれか一項に記載の吸収性物品。
【発明の詳細な説明】
【技術分野】
【０００１】
本発明は、尿パッド（軽失禁パッドを含む）、生理用ナプキン、使い捨ておむつ等の吸収性物品に関するものである。
【背景技術】
【０００２】
従来、尿パッド、生理用ナプキン、使い捨ておむつ等の様々な吸収性物品が知られている。これらの吸収性物品は、着用の際に着用者の股間で嵩張らないように、薄型に形成されることが望ましい。一方、薄型に形成された吸収性物品は、着用者の股間にセットする際に平面状に広げることが難しくなったり、使用の際に折れ曲がったりするおそれがある。例えば特許文献１には、着用の際の縒れの発生を抑えた吸収性物品として、繊維が一方向に配向された不織布から形成され、当該不織布の繊維配向方向に直交して延びる複数のエンボス線を備えたトップシートを有し、エンボス線の各々は間欠的に設けられた複数の凹部で形成され、凹部の長手方向が繊維配向方向に交差するように配置された吸収性物品が開示されている。
【先行技術文献】
【特許文献】
【０００３】
【特許文献１】特開２００７−１１７１１１号公報
【発明の概要】
【発明が解決しようとする課題】
【０００４】
吸収性物品は、前後方向の端部の吸収体が存在しない部分で特に薄く形成されるため、当該部分で折れ曲がりやすくなる。本発明は前記事情に鑑みてなされたものであり、その目的は、吸収体が存在しない前後方向の端部での折れ曲がりが起こりにくく、着用感に優れた吸収性物品を提供することにある。
【課題を解決するための手段】
【０００５】
前記課題を解決することができた本発明の吸収性物品とは、前後方向と幅方向を有し、液透過性のトップシートと液不透過性のバックシートとこれらの間に設けられた吸収体を有する吸収性物品であって；トップシートの幅方向の両側に立ち上がりフラップが設けられ；立ち上がりフラップは、前側端部と後側端部とこれらの間の中間部を有し、少なくとも中間部に前後方向に延びるフラップ弾性部材が設けられ、前側端部と後側端部がトップシートに接合されることにより中間部が起立可能に形成され；トップシートに格子状の第１エンボス部が設けられ；立ち上がりフラップの前側端部と後側端部に第２エンボス部が設けられ；第１エンボス部と第２エンボス部は、吸収体の前側端より前方側および後側端より後方側に少なくとも設けられ；第１エンボス部のエンボス率が第２エンボス部のエンボス率よりも小さいところに特徴を有する。
【０００６】
本発明の吸収性物品は、上記のようにトップシートに第１エンボス部が設けられ、立ち上がりフラップの前側端部と後側端部に第２エンボス部が設けられることにより、吸収性物品の前後方向の端部の吸収体非存在部での剛性が高まり、吸収性物品が吸収体非存在部で折れ曲がりにくくなる。またトップシートは、その肌触りが吸収性物品の着用感に大きく影響を及ぼすところ、第１エンボス部が格子状に設けられることによりトップシートにクッション性が付与され、吸収性物品の着用感を向上させることができるとともに、第１エンボス部のエンボス率を低くすることにより、トップシートの柔軟性が確保され、トップシートの肌触りを向上させることができる。一方、立ち上がりフラップの前側端部と後側端部に設けられる第２エンボス部のエンボス率を高くすることにより、吸収性物品が吸収体非存在部で折れ曲がりにくくなる。
【０００７】
第１エンボス部は、前後方向に対して傾斜して一方向と他方向に延びる複数の直線部から構成された四角格子状に設けられていることが好ましい。このように第１エンボス部が設けられることにより、吸収性物品の吸収体非存在部が前後方向に折れ曲がりにくくなる。
【０００８】
第２エンボス部は、前後方向と幅方向に複数並んで設けられていることが好ましい。このように第２エンボス部が設けられることにより、第２エンボス部のエンボス率を高めつつ、第２エンボス部が設けられる領域が過度に硬くならないように形成することができる。
【０００９】
トップシートには第１エンボス部に囲まれて第１非エンボス部が設けられ、第１非エンボス部の１つ当たりの面積が、第２エンボス部の１つ当たりの面積よりも大きいことが好ましい。このように第１非エンボス部が設けられることにより、トップシートの第１エンボス部が設けられた領域のクッション性を高めやすくなる。また、立ち上がりフラップの前側端部と後側端部において、第２エンボス部が設けられた領域が過度に硬くなりにくくなる。
【００１０】
第１エンボス部のエンボス率は２５％以下であることが好ましい。このように第１エンボス部が設けられれば、トップシートの柔軟性を高めることができる。一方、第２エンボス部のエンボス率は５０％以上であることが好ましい。このように第２エンボス部が設けられれば、吸収性物品の吸収体非存在部での折れ曲がり抑制効果が高まる。
【００１１】
吸収性物品の肌面側から見て、第１エンボス部が設けられた領域Ａ１の幅方向の長さは、幅方向の一方側と他方側の第２エンボス部が設けられた領域Ａ２の幅方向の合計長さよりも長く形成されていることが好ましい。第１エンボス部が設けられた領域Ａ１は、第２エンボス部が設けられた領域Ａ２よりもエンボス率が低いため、領域Ａ１の幅方向の長さが領域Ａ２の幅方向の長さよりも長くなることにより、吸収性物品の肌面側の肌触りを向上させることができる。
【００１２】
第２エンボス部は、吸収体の前側端の前方側から後方側にかけて設けられるとともに、吸収体の後側端の前方側から後方側にかけて設けられていることが好ましい。このように第２エンボス部が設けられることにより、吸収性物品が吸収体の前側端と後側端に沿って折れ曲がりにくくなる。
【００１３】
トップシートは短繊維不織布から構成され、当該不織布の構成繊維が前後方向に配向していることが好ましい。これにより、吸収性物品の吸収体非存在部が前後方向により折れ曲がりにくくなる。また、尿等がトップシート上を前後方向に優先的に拡散しやすくなるとともに、幅方向への拡散性も確保される。
【発明の効果】
【００１４】
本発明の吸収性物品は、トップシートに設けられた第１エンボス部と立ち上がりフラップの前側端部と後側端部に設けられた第２エンボス部によって、吸収性物品の前後方向の端部の吸収体非存在部での剛性が高まり、吸収性物品が吸収体非存在部で折れ曲がりにくくなる。また、第１エンボス部が格子状に設けられることにより、トップシートにクッション性が付与され、吸収性物品の着用感を向上させることができるとともに、第１エンボス部のエンボス率を低くすることにより、トップシートの柔軟性が確保され、トップシートの肌触りを向上させることができる。一方、立ち上がりフラップの前側端部と後側端部に設けられる第２エンボス部はエンボス率が高く、これにより吸収性物品が吸収体非存在部で折れ曲がりにくくなる。
【図面の簡単な説明】
【００１５】
【図１】本発明の吸収性物品の一例を表し、吸収性物品を肌面側から見た平面図を表す。
【図２】図１に示した吸収性物品のＩＩ−ＩＩ断面図を表す。
【発明を実施するための形態】
【００１６】
本発明の吸収性物品について、図面を参照して説明する。なお本発明は、図面に示された実施態様に限定されるものではない。
【００１７】
図１および図２には、本発明の吸収性物品の一例として、軽失禁パッドの構成例を示した。図１は、吸収性物品（軽失禁パッド）をトップシート側から見た平面図を表し、図２は、図１に示した吸収性物品のＩＩ−ＩＩ断面図を表す。本願の図では、矢印ｘが幅方向、矢印ｙが前後方向を表し、矢印ｘ，ｙにより形成される面に対して垂直方向が厚み方向ｚを表す。図１では、図面の上側が吸収性物品の前側に相当し、図面の下側が吸収性物品の後側に相当する。
【００１８】
吸収性物品１は、トップシート２とバックシート３とこれらの間に設けられた吸収体４とを有する。トップシート２は吸収体４の肌面側に配され、バックシート３は吸収体４の非肌面側に配されている。トップシート２を透過した排泄物は、吸収体４により収容される。バックシート３は排泄物が外へ漏れるのを防いでいる。
【００１９】
吸収性物品１は、前後方向ｙと幅方向ｘを有する。前後方向ｙとは、吸収性物品を着用した際に着用者の股間の前後方向に延びる方向に相当する。幅方向ｘとは、吸収性物品と同一面上にあり前後方向ｙと直交する方向を意味し、吸収性物品を着用した際の着用者の左右方向に相当する。また、吸収性物品を着用者が着用した際に、着用者の肌に向かう側を肌面側とし、その反対側を非肌面側とする。
【００２０】
トップシート２は吸収体４の肌面側に配され、吸収性物品の着用の際に着用者の肌に面するように設けられる。トップシート２は、液透過性であることが好ましい。トップシート２としては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシート２として、織布、編布、有孔プラスチックフィルム等を用いてもよい。
【００２１】
バックシート３は吸収体４の非肌面側に配され、液不透過性であることが好ましい。バックシート３としては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、バックシート３として、不織布とプラスチックフィルムとの積層体を用いてもよい。
【００２２】
吸収体４は、尿等の排泄物を吸収できる吸収性材料を含むものであれば特に限定されない。吸収体４としては、例えば、吸収性材料を所定形状に成形した成形体を用いたり、あるいは当該成形体を紙シート（例えば、ティッシュペーパーや薄葉紙）や液透過性不織布シート等の被覆シートで覆ったものを用いることができる。吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等との親和性を高めるために、界面活性剤等により親水化処理がされていてもよい。
【００２３】
吸収性材料は、尿等の吸収速度を高める点から、親水性繊維を含むことが好ましい。また、吸収容量を高める点からは、吸収性材料は吸水性樹脂を含むことが好ましい。従って、吸収体４は親水性繊維（特にパルプ繊維）と吸水性樹脂を含むことが好ましい。この場合、例えば、親水性繊維の集合体に吸水性樹脂を混合または散布したものを用いることが好ましい。
【００２４】
吸収体４は、シート状吸収体であってもよい。シート状吸収体としては、不織布間に吸水性樹脂を有しパルプ繊維を有しないように形成されたものが挙げられる。このように形成されたシート状吸収体は、不織布間に吸水性樹脂を有するため、高い吸収容量を実現できる。また、シート状吸収体は不織布間にパルプ繊維を有しないため、嵩張らず薄型に形成することができる。
【００２５】
吸収体４の形状（平面形状）は特に限定されない。吸収体４の形状は、用途に応じて適宜決定すればよく、例えば、略長方形、砂時計形、ひょうたん形、羽子板形等が挙げられる。
【００２６】
図面ではバックシート３と吸収体４との間に台紙５が設けられており、台紙５により吸収性物品１の形状保持性を向上させることができる。台紙５は、クレープ紙や不織布から構成することができる。台紙５は設けなくてもよい。
【００２７】
トップシート２やバックシート３として不織布を用いる場合、不織布としては、スパンボンド不織布、エアスルー不織布、ポイントボンド不織布、メルトブロー不織布、エアレイド不織布、ＳＭＳ不織布等を用いることが好ましい。
【００２８】
トップシート２とバックシート３は吸収体４よりも前方側および後方側に延在し、吸収性物品１には吸収体４の前方側および後方側に吸収体非存在部９が形成される。吸収体４とバックシート３との間に台紙５が設けられる場合は、台紙５も吸収体４よりも前方側および後方側に延在することが好ましい。吸収体非存在部９では、トップシート２とバックシート３が重なって設けられ、さらに台紙５や後述するサイドシート８が重なって設けられてもよい。
【００２９】
トップシート２の幅方向ｘの両側には立ち上がりフラップ６が設けられる。立ち上がりフラップ６により、尿等の横漏れが防止される。立ち上がりフラップ６は、バックシート３に使用可能なシート部材から構成することができ、液不透過性のプラスチックフィルムや液不透過性の不織布から構成されることが好ましい。
【００３０】
立ち上がりフラップ６は、前側端部６Ｆと後側端部６Ｂとこれらの間の中間部６Ｍを有し、少なくとも中間部６Ｍに前後方向ｙに延びるフラップ弾性部材７が設けられ、前側端部６Ｆと後側端部６Ｂがトップシート２に接合されることにより、中間部６Ｍが起立可能に形成される。前側端部６Ｆと後側端部６Ｂは少なくとも吸収体非存在部９に設けられ、一部が吸収体４と重なって設けられてもよい。
【００３１】
立ち上がりフラップ６は、立ち上がる起点となる基部と立ち上がった先端となる自由端を有し、基部と自由端の間にフラップ弾性部材７が設けられる。フラップ弾性部材７は伸張状態で立ち上がりフラップ６に接着剤等で固定されることが好ましく、フラップ弾性部材７の収縮力によって、立ち上がりフラップ６の起立が促進される。立ち上がりフラップ６は、トップシート２の幅方向ｘの両側に、前後方向ｙに延在するサイドシート８を接合し、サイドシート８の幅方向ｘの内方部にフラップ弾性部材７を設けることにより形成することができる。図面に示した吸収性物品１では、サイドシート８が幅方向ｘの断面でＺ字状に折りたたまれており、折りたたまれたサイドシート８の自由端を含む面にフラップ弾性部材７が取り付けられている。前側端部６Ｆと後側端部６Ｂでは、Ｚ字状に折りたたまれたサイドシート８の各面が相互に接合され、Ｚ字状の折りたたみが維持されることが好ましい。
【００３２】
吸収性物品１は前後方向ｙの両端部に吸収体非存在部９が形成されるが、吸収体非存在部９は吸収体４が存在しないことにより、剛性が低くなる。そのため、吸収性物品１は吸収体非存在部９で折れ曲がりやすくなり、例えば吸収性物品をセットする際に吸収性物品を平面状に広げることが難しくなったり、吸収性物品を使用の際に吸収性物品の前後方向ｙの端部が折り返されやすくなる。
【００３３】
そこで吸収性物品１では、トップシート２の吸収体非存在部９に格子状の第１エンボス部１０を設けるとともに、立ち上がりフラップ６の前側端部６Ｆと後側端部６Ｂの吸収体非存在部９に第２エンボス部１３を設けている。すなわち、トップシート２は第１エンボス部１０において押圧され、立ち上がりフラップ６の前側端部６Ｆと後側端部６Ｂは第２エンボス部１３において押圧され、第１エンボス部１０と第２エンボス部１３は、吸収体４の前側端より前方側および後側端より後方側に設けられている。このように第１エンボス部１０と第２エンボス部１３が設けられることにより、吸収体非存在部９の剛性が高まり、吸収性物品１が吸収体非存在部９で折れ曲がりにくくなる。またトップシート２は、その肌触りが吸収性物品の着用感に大きく影響を及ぼすが、第１エンボス部１０が格子状に設けられることによりトップシート２にクッション性が付与され、吸収性物品１の着用感を向上させることができる。
【００３４】
吸収性物品１において、第１エンボス部１０と第２エンボス部１３は、第１エンボス部１０のエンボス率が第２エンボス部１３のエンボス率よりも小さくなるように設けられる。すなわち、トップシート２の第１エンボス部１０が設けられた領域Ａ１の単位面積当たりの第１エンボス部１０の面積Ｓ１は、立ち上がりフラップ６の前側端部６Ｆと後側端部６Ｂの第２エンボス部１３が設けられた領域Ａ２の単位面積当たりの第２エンボス部１３の面積Ｓ２よりも小さい。トップシート２に設けられる第１エンボス部１０のエンボス率を低くすることにより、トップシート２の柔軟性が確保され、トップシート２の肌触りを向上させることができる。一方、立ち上がりフラップ６の前側端部６Ｆと後側端部６Ｂに設けられる第２エンボス部１３のエンボス率を高くすることにより、吸収性物品１が吸収体非存在部９で折れ曲がりにくくなる。例えば第２エンボス部１３が設けられた領域Ａ２を幅方向ｘに狭く設ける場合でも、吸収性物品１が吸収体非存在部９で折れ曲がりにくくなる。
【００３５】
第１エンボス部１０はトップシート２が押圧された部分を意味し、トップシート２の第１エンボス部１０が設けられた領域Ａ１とは、格子状の第１エンボス部１０の全体を含む領域を意味する。領域Ａ１には、格子状の第１エンボス部１０によって囲まれた第１非エンボス部１２も含まれる。図１では、トップシート２の全体が領域Ａ１となっている。第１エンボス部１０はトップシート２が非加熱状態で押圧されることによって形成されるものであってもよく、加熱状態で押圧されること（すなわち熱エンボス）によって形成されるものであってもよい。いずれの場合も、第１エンボス部１０はトップシート２が単独で押圧されることによって形成されることが好ましい。
【００３６】
第２エンボス部１３は立ち上がりフラップ６の前側端部６Ｆと後側端部６Ｂが押圧された部分を意味し、立ち上がりフラップ６の前側端部６Ｆと後側端部６Ｂの第２エンボス部１３が設けられた領域Ａ２とは、第２エンボス部１３の全体を含む領域を意味する。領域Ａ２には、第２エンボス部１３と隣接して形成される第２非エンボス部の一部も含まれ得る。図１では、立ち上がりフラップ６の前側端部６Ｆと後側端部６Ｂの略全体が領域Ａ２となっている。第２エンボス部１３は、立ち上がりフラップ６の前側端部６Ｆと後側端部６Ｂが非加熱状態で押圧されることによって形成されるものであってもよく、加熱状態で押圧されること（すなわち熱エンボス）によって形成されるものであってもよい。いずれの場合も、第２エンボス部１３は立ち上がりフラップ６の前側端部６Ｆと後側端部６Ｂが単独で押圧されることによって形成されることが好ましい。
【００３７】
第１エンボス部１０と第２エンボス部１３は、剛性を高める観点から、熱エンボスにより形成されていることが好ましい。これにより、吸収性物品１が吸収体非存在部９で折れ曲がりにくくなる。この場合、トップシート２や立ち上がりフラップ６（サイドシート８）は熱融着性繊維を含む不織布から構成されていることが好ましい。また、第１エンボス部１０と第２エンボス部１３では不織布の構成繊維の少なくとも一部が溶融していることが好ましい。熱融着性繊維としては、ポリオレフィン（例えば、ポリプロピレン、ポリエチレン）、ポリエステル（例えば、ＰＥＴ）、ポリアミド（例えば、ナイロン）等の熱可塑性樹脂から構成された繊維が挙げられる。
【００３８】
領域Ａ１における第１エンボス部１０のエンボス率は２５％以下が好ましく、２０％以下がより好ましく、１５％以下がさらに好ましい。すなわち、第１エンボス部１０が設けられた領域Ａ１の単位面積当たりの第１エンボス部１０の面積Ｓ１は、０．２５ｃｍ2／ｃｍ2以下が好ましく、０．２０ｃｍ2／ｃｍ2以下がより好ましく、０．１５ｃｍ2／ｃｍ2以下がさらに好ましい。このように第１エンボス部１０が設けられれば、トップシート２の柔軟性を高めることができる。一方、トップシート２の吸収体非存在部９における剛性を高める観点から、領域Ａ１における第１エンボス部１０のエンボス率は１％以上が好ましく、３％以上がより好ましく、５％以上がさらに好ましい。すなわち、第１エンボス部１０が設けられた領域Ａ１の単位面積当たりの第１エンボス部１０の面積Ｓ１は、０．０１ｃｍ2／ｃｍ2以上が好ましく、０．０３ｃｍ2／ｃｍ2以上がより好ましく、０．０５ｃｍ2／ｃｍ2以上がさらに好ましい。
【００３９】
領域Ａ２における第２エンボス部１３のエンボス率は５０％以上が好ましく、６０％以上がより好ましく、７０％以上がさらに好ましい。すなわち、第２エンボス部１３が設けられた領域Ａ２の単位面積当たりの第２エンボス部１３の面積Ｓ２は、０．５０ｃｍ2／ｃｍ2以上が好ましく、０．６０ｃｍ2／ｃｍ2以上がより好ましく、０．７０ｃｍ2／ｃｍ2以上がさらに好ましい。このように第２エンボス部１３が設けられれば、吸収性物品１の吸収体非存在部９での折れ曲がり抑制効果が高まる。一方、第２エンボス部１３が設けられた領域Ａ２が過度に硬くならないようにする観点から、領域Ａ２における第２エンボス部１３のエンボス率は９５％以下が好ましく、９０％以下がより好ましく、８５％以下がさらに好ましい。すなわち、第２エンボス部１３が設けられた領域Ａ２の単位面積当たりの第２エンボス部１３の面積Ｓ２は、０．９５ｃｍ2／ｃｍ2以下が好ましく、０．９０ｃｍ2／ｃｍ2以下がより好ましく、８５ｃｍ2／ｃｍ2以下が好ましい。
【００４０】
領域Ａ２における第２エンボス部１３のエンボス率を高めつつ、領域Ａ２が過度に硬くならないようにすることが容易な点から、第２エンボス部１３は、第１エンボス部１０のように格子状に設けられるのではなく、散点状に設けられることが好ましい。散点状に設けられた各第２エンボス部１３の形状は特に限定されず、円形、長円形、四角形や六角形等の多角形、星形等が挙げられる。第２エンボス部１３は、前後方向ｙと幅方向ｘに複数並んで設けられることが好ましい。より密に複数の第２エンボス部１３を配置することが容易な点から、各第２エンボス部１３の形状は四角形または六角形であることが好ましい。
【００４１】
一方、第１エンボス部１０は、前後方向ｙに対して傾斜して一方向と他方向に延びる複数の直線部１１から構成された四角格子状に設けられていることが好ましく、この場合、直線部１１においてトップシート２が押圧されることとなる。このように第１エンボス部１０が形成されることにより、吸収性物品１の吸収体非存在部９が幅方向ｘに延びる折り目で折れ曲がりにくくなる。すなわち、吸収性物品１の吸収体非存在部９が前後方向ｙに折れ曲がりにくくなる。
【００４２】
上記のように構成された第１エンボス部１０は、前後方向ｙに対して傾斜して一方向に延びる複数の直線部１１Ａ（以下、「第１直線部」と称する）と前後方向ｙに対して傾斜して他方向に延びる複数の直線部１１Ｂ（以下、「第２直線部」と称する）とが交差することにより形成される。複数の第１直線部１１Ａと複数の第２直線部１１Ｂが互いに交差することによって、トップシート２には、略ひし形や略正方形の第１非エンボス部１２が複数形成されることが好ましい。「略ひし形」と「略正方形」には、完全なひし形や完全な正方形のみならず、角が丸まったひし形、角が丸まった正方形、角がカットされたひし形、角がカットされた正方形も含まれる。例えばトップシート２を四角格子状のパターンでエンボスした場合、第１直線部１１Ａと第２直線部１１Ｂの交点では、第１直線部１１Ａおよび／または第２直線部１１Ｂの線幅がそれ以外の部分よりも太くなる場合がある。そのような場合は、第１非エンボス部１２は、角が丸まったひし形や正方形、あるいは角がカットされたひし形や正方形に形成され得る。略ひし形または略正方形の第１非エンボス部１２は、幅方向ｘと前後方向ｙに複数並んで形成されることが好ましい。
【００４３】
第１直線部１１Ａは、前後方向ｙに対して時計回りに５°以上の角度で傾斜していることが好ましく、１０°以上がより好ましく、１５°以上がさらに好ましく、また４４°以下が好ましく、３５°以下がより好ましく、３０°以下がさらに好ましい。第２直線部１１Ｂは、前後方向ｙに対して反時計回りに５°以上の角度で傾斜していることが好ましく、１０°以上がより好ましく、１５°以上がさらに好ましく、また４４°以下が好ましく、３５°以下がより好ましく、３０°以下がさらに好ましい。このように第１直線部１１Ａと第２直線部１１Ｂが設けられることにより、吸収性物品１が吸収体非存在部９において前後方向ｙにより折れ曲がりにくくなる。
【００４４】
上記のように第１直線部１１Ａと第２直線部１１Ｂが設けられる場合、第１非エンボス部１２は、前後方向ｙの長さが幅方向ｘの長さよりも長く形成される。詳細には、四角格子状の第１エンボス部１０によって囲まれた各第１非エンボス部１２が、前後方向ｙの長さが幅方向ｘの長さよりも長く形成される。第１非エンボス部１２の前後方向ｙの長さは幅方向ｘの長さの１．２倍以上であることが好ましく、１．５倍以上がより好ましく、また４．０倍以下が好ましく、３．０倍以下がより好ましい。
【００４５】
第１非エンボス部１２の前後方向ｙの長さは、例えば５ｍｍ以上が好ましく、７ｍｍ以上がより好ましく、１０ｍｍ以上がさらに好ましく、また２５ｍｍ以下が好ましく、２２ｍｍ以下がより好ましく、２０ｍｍ以下がさらに好ましい。第１非エンボス部１２の幅方向ｘの長さは、例えば３ｍｍ以上が好ましく、４ｍｍ以上がより好ましく、５ｍｍ以上がさらに好ましく、また１６ｍｍ以下が好ましく、１４ｍｍ以下がより好ましく、１２ｍｍ以下がさらに好ましい。
【００４６】
第１非エンボス部１２の１つ当たりの面積は、第２エンボス部１３の１つ当たりの面積よりも大きいことが好ましい。このように第１非エンボス部１２が形成されることにより、トップシート２の第１エンボス部１０が設けられた領域Ａ１のクッション性を高めやすくなる。また、立ち上がりフラップ６の前側端部６Ｆと後側端部６Ｂにおいて、第２エンボス部１３が設けられた領域Ａ２が過度に硬くなりにくくなる。第２エンボス部１３は、幅方向ｘと前後方向ｙの長さが、例えば０．５ｍｍ以上が好ましく、１ｍｍ以上がより好ましく、また５ｍｍ以下が好ましく、４ｍｍ以下がより好ましい。
【００４７】
第１エンボス部１０は、トップシート２の吸収体非存在部９に少なくとも設けられ、さらにトップシート２の吸収体４と重なる領域にも設けられてもよい。この場合、トップシート２の吸収体４と重なる領域において、尿等が第１エンボス部１０で拡散しやすくなるとともに、第１非エンボス部１２で尿等がトップシート２を透過して吸収体４に速やかに吸収されやすくなる。すなわち、第１エンボス部１０でトップシート２が圧密されることにより、トップシート２において尿等の平面方向への拡散性が高まるのに対し、第１非エンボス部１２ではトップシート２が圧密されず、尿等がトップシート２を透過しやすくなる。第１エンボス部１０は、トップシート２の吸収体４と重なる領域の全体に設けられていることが好ましく、トップシート２の全領域にわたって設けられることがより好ましい。
【００４８】
第２エンボス部１３は、吸収体４の前側端の前方側から後方側にかけて設けられるとともに、吸収体４の後側端の前方側から後方側にかけて設けられることが好ましい。このように第２エンボス部１３が設けられることで、吸収性物品１が吸収体４の前側端と後側端に沿って折れ曲がりにくくなる。同様の観点から、第１エンボス部１０も、吸収体４の前側端の前方側から後方側にかけて設けられるとともに、吸収体４の後側端の前方側から後方側にかけて設けられることが好ましい。
【００４９】
立ち上がりフラップ６は、図面に示されるように、基部から自由端の間で前後方向ｙに延びる折り返し線に沿って折り返されており、立ち上がりフラップ６の折り返し線より基部側の部分と自由端側の部分とが一緒に第２エンボス部１３で押圧されていることが好ましい。これにより、立ち上がりフラップ６の前側端部６Ｆと後側端部６Ｂの剛性を高めることができ、吸収性物品１が吸収体非存在部９で折れ曲がりにくくなる。また、立ち上がりフラップ６を形成するサイドシート８が幅方向ｘの断面でＺ字状に折りたたまれ、前側端部６Ｆと後側端部６ＢにおいてＺ字状に折りたたまれたサイドシート８の各面が一緒に第２エンボス部１３で押圧されていることも好ましい。
【００５０】
吸収性物品１の肌面側から見て、第１エンボス部１０が設けられた領域Ａ１の幅方向ｘの長さは、第２エンボス部１３が設けられた領域Ａ２の幅方向ｘの長さよりも長いことが好ましい。具体的には、領域Ａ１の幅方向ｘの長さが、幅方向ｘの一方側と他方側に設けられた領域Ａ２の幅方向ｘの合計長さよりも長いことが好ましい。第１エンボス部１０が設けられた領域Ａ１は、第２エンボス部１３が設けられた領域Ａ２よりもエンボス率が低いため、領域Ａ１の幅方向ｘの長さが領域Ａ２の幅方向ｘの長さよりも長くなることにより、吸収性物品１の肌面側の肌触りを向上させることができる。
【００５１】
トップシート２は不織布から構成され、当該不織布の構成繊維が前後方向ｙに配向していることが好ましい。より好ましくは、トップシート２は短繊維不織布から構成され、当該不織布の構成繊維が前後方向ｙに配向している。これにより、吸収性物品１が吸収体非存在部９において前後方向ｙにより折れ曲がりにくくなる。また、尿等がトップシート２上を前後方向ｙに優先的に拡散しやすくなるとともに、幅方向ｘへの拡散性も確保される。
【００５２】
構成繊維が一方向に配向した不織布としては、スパンボンド不織布、エアスルー不織布、スパンレース不織布等が挙げられる。不織布の構成繊維の配向方向は、不織布の表面を顕微鏡等で観察することにより確認できる。例えばスパンボンド不織布では、構成繊維の配向方向について次のように説明される。スパンボンド不織布は、例えば、ポリマー原料を溶融し、紡糸口金から押し出して延伸し、これをコンベアベルト等の上に集積して、ウェブ状に形成することにより得られるが、この際、コンベアベルト上に集積されたウェブ（繊維）はコンベアベルトの進行方向に沿って配列されることとなる。従って、この場合、ウェブ（繊維）はコンベアベルトの進行方向（ＭＤ方向）に沿って配向することとなる。エアスルー不織布では、不織布を製造するに当たり、繊維塊形成の際の原料短繊維の集積方法やウェブ形成の際の開繊方法を適宜設定することにより、構成繊維の配向方向を揃えることができる。スパンレース不織布では、不織布を形成する際に、短繊維が分散した水流の流れを制御して繊維を堆積させることで、構成繊維の配向方向を揃えることができる。
【００５３】
トップシート２は、短繊維不織布として、エアスルー不織布またはスパンレース不織布から構成されていることが好ましい。スパンレース不織布やエアスルー不織布は比較的嵩密度を低く形成することができるため、尿等の透過性に優れるものとなる。また上記に説明したように、スパンレース不織布とエアスルー不織布は、当該不織布の構成繊維が前後方向ｙに配向していることが好ましい。
【００５４】
以上、本発明の吸収性物品について図面を参照して説明したが、本発明の吸収性物品は図面に示したような軽失禁パッドに限定されず、使い捨ておむつや生理用ナプキンであってもよい。
【００５５】
吸収性物品が使い捨ておむつである場合、使い捨ておむつは、例えば、前腹部と後背部とこれらの間に位置し吸収体が備えられた股部とから構成される。前腹部は、使い捨ておむつを着用の際に着用者の腹側に当てる部分に相当し、後背部は、使い捨ておむつを着用の際に着用者の背側に当てる部分に相当する。股部は、前腹部と後背部との間に位置し、着用者の股間に当てる部分に相当する。
【００５６】
使い捨ておむつは、テープタイプの使い捨ておむつであってもよく、パンツタイプの使い捨ておむつであってもよい。テープタイプの使い捨ておむつは、例えば、後背部の幅方向の両端部に止着部材が設けられて構成され、当該止着部材を前腹部に止着することにより、着用時にパンツ形状に形成することができる。パンツタイプの使い捨ておむつは、ウェスト開口部と一対の脚開口部とを有するパンツ形状を有し、着用前からパンツ形状に形成されているものである。
【００５７】
吸収性物品が使い捨ておむつである場合は、使い捨ておむつは、例えば、トップシートとバックシートの間に吸収体が配された積層体が、前腹部と後背部とこれらの間に位置する股部とを有するように形成される。使い捨ておむつはまた、前腹部と後背部とこれらの間に位置する股部とを有する外装部材の股部に、トップシートとバックシートの間に吸収体が配された吸収性本体を設けて構成することもできる。後者の場合、外装部材をパンツ形状に形成することで、パンツタイプの使い捨ておむつとすることができる。いずれの場合も、吸収性物品のトップシートや立ち上がりフラップを上記に説明したように構成することにより、本発明の吸収性物品とすることができる。なかでも、本発明の吸収性物品は、前後方向の端部での折れ曲がりが起こりやすい、尿パッド（軽失禁パッドを含む）や生理用ナプキンに特に好適に適用することができる。
【符号の説明】
【００５８】
１：吸収性物品
２：トップシート
３：バックシート
４：吸収体
５：台紙
６：立ち上がりフラップ、６Ｆ：前側端部、６Ｂ：後側端部、６Ｍ：中間部
７：フラップ弾性部材
８：サイドシート 
９：吸収体非存在部
１０：第１エンボス部
１１：直線部、１１Ａ：第１直線部、１１Ｂ：第２直線部
１２：第１非エンボス部
１３：第２エンボス部
【図１】
2020116156.tif 000003
【図２】
2020116156.tif 000004